(57)【要約】【課題】ペットを洗浄した後、ペットに付着している水分を短時間で素早く且つ容易に拭き取ることができるペット用タオルを提供する。【解決手段】ペットＰの背部Ｂより、側部Ｓを通って前後の脚部ＦＫ、ＬＫに沿って下方に垂下可能に本体部１１が設けられ、本体部１１の外面１２の後方側に、作業者５０の左右の手５１がそれぞれ係止される係止部２０が設けられたペット用タオル１０であって、使用時には、本体部１１に設けた前脚挿入部３０に前脚ＦＫを挿入して、係止部２０に両手５１を挿入し、指先５３を係止部２０の先端から露出させて、ペットＰの体に付着した水分を拭き取る。【選択図】図４
2015144569.tif 000002
【特許請求の範囲】
【請求項１】
４つの脚部を有するペットに付着した水分を吸収するタオルであって、
起立状態にあるペットに対し、その背部より、側部を通って前後の脚部に沿って下方に垂下可能に設けられた本体部を備え、
該本体部の外面であって、垂下する該本体部の前方側及び後方側の一方側に、作業者の左右の手がそれぞれ係止される係止部が両側に設けられ、
該係止部には、作業者の手が挿入される挿入開口部が、該本体部の内方向の位置に設けられ、該本体部の外方向の位置に、上記挿入開口部に挿入された作業者の手先が露出する露出部が設けられ、
該本体部を内面がペットに接するように該ペットの背部から前後両脚に跨って被せ且つ係止部に作業者が手を係止して、ペットの体の水分を除去可能となっていることを特徴とするペット用タオル。
【請求項２】
請求項１に記載のペット用タオルにおいて、
上記係止部の該露出部よりも外方向の位置であって、該本体部の該外面に、該露出部から露出する作業者の手先で作業可能な先端作業部が設けられていることを特徴とするペット用タオル。
【請求項３】
請求項１又は２に記載のペット用タオルにおいて、
該本体部の前後方向の他方側には、ペットとペットに被せる該本体部との相対位置が設定される設定部が設けられていることを特徴とするペット用タオル。
【請求項４】
請求項３に記載のペット用タオルにおいて、
該設定部が、ペットの前脚或いは後脚のいずれか一方の位置を設定することを特徴とするペット用タオル。
【請求項５】
請求項３又は４に記載のペット用タオルにおいて、
該設定部が、該本体部の内面に設けられ、且つペットの前脚或いは後脚のいずれか一方
を挿入する脚挿入部からなることを特徴とするペット用タオル。
【請求項６】
請求項５に記載のペット用タオルにおいて、
上記脚挿入部が、ペットの前脚或いは後脚の一方の脚を挿入可能であると共に、作業者の手を挿入可能な第１筒状体として設けられ、
上記係止部が、作業者の手を挿入可能であると共に、ペットの前脚或いは後脚の他方の脚を挿入可能な第２筒状体として設けられ、
該本体部の該内面と該外面を裏返して、該外面になる上記第１筒状体に作業者の手が挿入され、該内面になる上記第２筒状体に該ペットの一方の脚が挿入されて、ペットの体の水分を除去することを特徴とするペット用タオル。
【請求項７】
請求項１ないし６のいずれか１つに記載のペット用タオルにおいて、
上記本体部の前端部にペットの頭部に被さるフード部が設けられていることを特徴とするペット用タオル。
【請求項８】
請求項１ないし７のいずれか１つに記載のペット用タオルにおいて、
該ペット用タオルが、天然の綿素材からなるフィラメントを撚って形成した複合撚糸を用いて製編織して製造した織編物からなることを特徴とするペット用タオル。
【請求項９】
請求項８に記載のペット用タオルにおいて、
該複合撚糸は、紡績糸と水溶性糸とを撚り合わせてなり、該複合撚糸の撚り方向が紡績糸の撚り方向と逆であり、該織編物から該複合撚糸中の水溶性糸が除去されることで撚った紡績糸同士の間に空気の通過する隙間が形成された織編物からなることを特徴とするペット用タオル。
【発明の詳細な説明】
【技術分野】
【０００１】
本発明は、ペット用タオルに関するものであり、特に、犬、猫、ウサギ等の４つの脚部を有するペットを洗浄した後、ペットに付着している水を拭き取るためのペット用タオルに関するものである。
【背景技術】
【０００２】
従来より、犬、猫、ウサギ等のペットを洗浄した後、ペットに付着している水を拭き取る際には、一般に吸水性の長方形のタオルが使用されている。その中で、タオルに作業者の手が挿入されるポケットを設けたものが知られている。
【０００３】
例えば特許文献１のように、脚ふきマットにポケットを設けたものであって、マットの上に乗っているペットの脚の周囲に付着している水分を拭き取るために、このマットに人の手を挿入するようにしたものが開示されている。
【０００４】
また、特許文献２のように、ペットの体に付着している水分を拭き取るペット用のタオルであって、人の手を挿入するためのポケットを左右両端に備えたポケット付きタオルが開示されている。
【先行技術文献】
【特許文献】
【０００５】
【特許文献１】特許４１４２７２２号公報（請求項１、図１、図６）
【特許文献２】実用新案登録第３１０９３１６号公報（請求項１、図１）
【発明の概要】
【発明が解決しようとする課題】
【０００６】
特許文献１では、マットのポケットに手を挿入して、脚の水分を拭き取るようになっているが、ペットの体全体の水分を拭き取ることができない。又、マットの上にペットが乗っているので、タオルを自由に動かすことが難しく、作業性に劣る。
【０００７】
特許文献２では、ペットに付着している水を拭き取る人が、手をそれぞれ左右両端のポケットに挿入し、ペットを抱きながら該ポケット付きタオルによりペットの体を拭いて、ペットに付着している水を除去するようになっている。そのために、この特許文献２では、ペットの体を拭こうとするとペットがタオルから逃げてしまうという問題がある。特に、水の拭き取りを嫌うペット等の場合には、このタオルにより体に付着している水を拭き取る作業は困難である。また、手先の自由度がなく、両手の動きが制約され、かえってペットの体を拭く作業が困難になる恐れがある。
【０００８】
本発明は、上記従来技術における上述の如き問題を解決し、ペットを洗浄した後、ペットの体に付着している水分を容易に拭き取ることができるペット用タオルを提供することを目的とする。
【課題を解決するための手段】
【０００９】
第１の発明は、４つの脚部を有するペットに付着した水分を吸収するタオルであって、
起立状態にあるペットに対し、その背部より、側部を通って前後の脚部に沿って下方に垂下可能に設けられた本体部を備え、該本体部の外面であって、垂下する該本体部の前方側及び後方側の一方側に、作業者の左右の手がそれぞれ係止される係止部が両側に設けられ、該係止部には、作業者の手が挿入される挿入開口部が、該本体部の内方向の位置に設けられ、該本体部の外方向の位置に、上記挿入開口部に挿入された作業者の手先が露出する露出部が設けられ、該本体部を内面がペットに接するように該ペットの背部から前後両脚に跨って被せ且つ係止部に作業者が手を係止して、ペットの体の水分を除去可能となっていることを特徴とする。
【００１０】
第２の発明は、第１の発明において、上記係止部の該露出部よりも外方向の位置であって、該本体部の該外面に、該露出部から露出する作業者の手先で作業可能な先端作業部が設けられていることを特徴とする。
【００１１】
第３の発明は、第１又は２の発明において、該本体部の前後方向の他方側には、ペットとペットに被せる該本体部との相対位置が設定される設定部が設けられていることを特徴とする。
【００１２】
第４の発明は、第３の発明において、該設定部が、ペットの前脚或いは後脚のいずれか一方の位置を設定することを特徴とする。
【００１３】
第５の発明は、第３又は第４の発明において、該設定部が、該本体部の内面に設けられ、且つペットの前脚或いは後脚のいずれか一方を挿入する脚挿入部からなることを特徴とする。
【００１４】
第６の発明は、第５の発明において、上記脚挿入部が、ペットの前脚或いは後脚の一方の脚を挿入可能であると共に、作業者の手を挿入可能な第１筒状体として設けられ、上記係止部が、作業者の手を挿入可能であると共に、ペットの前脚或いは後脚の他方の脚を挿入可能な第２筒状体として設けられ、該本体部の該内面と該外面を裏返して、該外面になる上記第１筒状体に作業者の手が挿入され、該内面になる上記第２筒状体に該ペットの一方の脚が挿入されて、ペットの体の水分を除去することを特徴とする。
【００１５】
第７の発明は、第１ないし第６の発明のいずれか１つにおいて、上記本体部の前端部にペットの頭部に被さるフード部が設けられていることを特徴とする。
【００１６】
第８の発明は、第１ないし第７の発明のいずれか１つにおいて、該ペット用タオルが、天然の綿素材からなるフィラメントを撚って形成した複合撚糸を用いて製編織して製造した織編物からなることを特徴とする。
【００１７】
第９の発明は、第８の発明において、該複合撚糸は、紡績糸と水溶性糸とを撚り合わせてなり、該複合撚糸の撚り方向が紡績糸の撚り方向と逆であり、該織編物から該複合撚糸中の水溶性糸が除去されることで撚った紡績糸同士の間に空気の通過する隙間が形成された織編物からなることを特徴とする。
【発明の効果】
【００１８】
第１の発明によれば、ペット用タオルは、本体部をペットの背部より両側部を通って、前後の脚部に沿って垂下可能になっているため、ペットの背部、側部、脚部に接触した状態となる。従って、ペットの体に付着している水を拭き取る作業は容易である。特に、作業者が両手を係止部に挿入しつつ、係止部から手先（指先）を露出させて水分を拭き取るようにすることができるので、手先を目視できると共に手先でペットを落ち着かせることができる。さらに、この挿入部では手先が露出するので、手先の自由度が高く、作業性に優れる。場合によっては、ペットにペット用タオルを掛けた状態で、作業者が、ペットを横向き或いは仰向け状態で膝の上に抱えて保持する、或いは水分を拭き取ることも可能であり、この状態の時に、ペットを確実に保持でき、ペットを安心させることができる。
【００１９】
第２の発明によれば、挿入部の露出部よりも先端側の位置であって、本体部の外面に、挿入部から露出した作業者の手先が接触可能な先端作業部が設けられているので、この露出した手先を自由に動かすことができ、ペットを抱え易いので、ペットを安心させることが出来、作業性に優れる。
【００２０】
第３の発明によれば、ペットとペットに被せる本体部との相対位置が設定される設定部が設けられているので、ペットの背部及び側部に対して、ペット用タオルを安定した位置にセットできるので、ペットを膝に抱えた状態や多少ペットが動いても素早く水分を拭き取れる。
【００２１】
第４の発明によれば、該設定部が、ペットの前脚或いは後脚のいずれか一方の位置を設定するので、ペットを膝に抱えた状態や多少ペットが動いてもペット用タオルがペットから外れにくい。
【００２２】
第５の発明によれば、該設定部が、該本体部の内面に設けられ、且つペットの前脚或いは後脚のいずれか一方を挿入する脚挿入部からなるので、ペットとペット用タオルとの相対位置が安定し、拭き取る作業性が向上する。
【００２３】
第６の発明によれば、ペット用タオルを裏返して、リバーシブルに使用できるので、途中でペット用タオルを裏返す、或いはペットによって使い分ける等の利用価値が大幅に向上する。
【００２４】
第７の発明によれば、フード部を設けることで、頭部の水分も拭き取ることができる。
【００２５】
第８の発明によれば、天然繊維であるので、肌触りが良く、且つ吸水性及び速乾性に優れる。
【００２６】
第９の発明によれば、吸水性及び速乾性に更に優れる。
【図面の簡単な説明】
【００２７】
【図１】図１は、本発明の実施形態１に関わるペット用タオルを拡げた状態であって、内側から見た平面図である。
【図２】図２は、本発明の実施形態１に関わるペット用タオルを拡げた状態であって、外側から見た平面図である。
【図３】図３は、本発明の実施形態１に関わるペット用タオルの使用状態の一例を示す部分拡大図である。
【図４】図４は、本発明の実施形態１に関わるペット用タオルの使用状態の一例を示す斜視図である。
【図５】図５は、本発明の実施形態２に関わるペット用タオルを示す図１と同様な平面図である。
【図６】図６は、本発明の実施形態２に関わるペット用タオルを示す図２と同様な平面図である。
【図７】図７は、本発明の実施形態３に関わるペット用タオルを示す図２と同様な平面図である。
【発明を実施するための形態】
【００２８】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００２９】
（実施形態１）
実施形態１について、図１〜図４に基づいて説明する。図１に示すように、ペット用タオル１０は、ペットＰの体をシャンプーして洗浄した後に、速やかに体の水分を拭き取るタオルである。ペットＰは、４つの脚部を有する例えば犬、猫、ウサギ等であり、図示例では犬である。本発明で、「拭き取る」とは、ペット用タオル１０をペットＰに被せて、そのままにしておいて水分を吸収するようにするものや、被せたペット用タオル１０を軽く擦って水分を拭き取るものも一緒に「拭き取る」という表現で使用する。
【００３０】
図１及び図２に示すように、ペット用タオル１０の本体部１１は、略矩形状からなる。図４に示すように、本体部１１を、起立状態にあるペットＰに対し、本体部１１の内面１３をペットＰ側（下側）にした状態で、そのペットＰの背部Ｂから側部Ｓを通って下方に垂下させてペットＰに被せた場合に、上下方向の高さは、本体部１１の下端部からペットＰの足先が僅かに飛び出る高さであって、前後方向の長さは、前脚ＦＫよりわずかに本体部１１が飛び出て、後脚ＬＫより余裕を持って飛び出る長さ(図４参照)を基本とする。しかし、ペットＰの大きさ（高さや長さ）は、ペットＰの種類や年齢などで千差万別であり、必ずしも上述した基準の高さや長さにならないが、実施形態１では、係止部２０が、後脚ＬＫの大腿部ＦＴに当接するか、大腿部ＦＴの後側に回る位置で、脚挿入部３０に前脚ＦＫが挿入される場合のペット用タオル１０として例示し、説明する。
【００３１】
なお、係止部２０が、前脚ＦＫに当接する位置で、脚挿入部３０に後脚ＬＫが挿入される場合のペット用タオルにも適用できる。
【００３２】
本体部１１について、図１の紙面において、左側を前方側１１ａ、右側を後方側１１ｂ、下側を下方側１１ｃ、上側を上方側１１ｄ、矩形状の本体部１１から外に飛び出る方向を外方向１１ｆ、外方向と逆方向（即ち本体部１１の中側、或いは中心に向く方向）を内方向１１ｅと称す。
【００３３】
この本体部１１は、例えば綿又はポリエステル、ＰＶＡ等のマイクロファイバーにより形成したタオルよりなるものが使用可能である。なお、吸水性に優れたタオルであっても、化繊よりも天然繊維、例えば綿からなるものの方がペットの肌や毛に対してやさしく、肌触りに優れるので、好ましい。例えばペット用タオル１０が、天然の綿素材からなるフィラメントを撚って形成した複合撚糸を用いて製編織して製造した織編物からなるものが好ましく、更には、この複合撚糸が、紡績糸と水溶性糸とを撚り合わせてなり、複合撚糸の撚り方向が紡績糸の撚り方向と逆であり、織編物から複合撚糸中の水溶性糸が除去されて、撚った紡績糸同士の間に空気の通過する隙間が形成された織編物からなるものが好ましい。特に、複合撚糸がループパイルからなるものが、ペットの毛の奥まで入り込んで吸水できると共に、クッション性及び肌触り性に優れるので、好ましい。
【００３４】
なお、本体部１１だけでなく、係止部２０、設定部３０及びフード部４０も本体部１１と同じ素材からなる方が好ましい。
【００３５】
本体部１１の外面１２には、垂下する本体部１１の後方側１１ｂに、作業者５０の左右の手５１，５１がそれぞれ挿入されて係止される係止部２０，２０が左右両側に設けられている。係止部２０は、手のひら５２が収まる大きさの貼付けポケット状からなる。係止部２０には、本体部１１の内方向１１ｅの位置に作業者５０の手５１が挿入される挿入開口部２１が開口され、本体部１１の外方向１１ｆに、上記挿入開口部２１に挿入された作業者５０の手先５３（或いは指先）が露出する露出部２２が開口されている。係止部２０を構成するカバー部材２０ａは、本体部１１と同じ素材からなり、挿入開口部２１と露出部２２を開口として残して、本体部１１に縫製されている。なお、カバー部材２０ａを本体部１１に取り付ける手段は、縫製に限られるものではなく、他の取付手段、例えば、溶着、接着でも良い。露出部２２の開口周りはギャザー等により絞られていて、挿入開口部２１に比較して、露出部２２の方が開口面積は小さくなっており、挿入した手５１が抜け難いようになっている。また、露出部２２の方が小さいことで、意匠的に外観の見映えが良くなっている。
【００３６】
更に、カバー部材２０ａの露出部２２に位置する部分（開口周り）には、ゴムバンド２３が取り付けられており、更に外観上の見映えが良くなっている。ゴムバンド２３によって、係止部２０に挿入した作業者５０の手先５３が露出部２２で締め付けられるので、その手先５３が大きく飛び出ることが防止できる。このことで、作業中にペット用タオル１０から手５１が外れにくいので、作業性に優れる。また、挿入開口部２１及び／又は挿入開口部２１と露出部２２との間にも、ゴムバンド２３を設けて挿入した手５１が抜けにくいようにしても良い。露出部２２は外方向１１ｆの例として、斜め後方、即ち後方側１１ｂで且つ下方側１１ｃに向いているが、必ずしもこの方向でなくても良く、後方側１１ｂ又は下方側１１ｃのいずれか一方向でも、或いは、両方向に開口するような形状にしても良い。また、挿入開口部２１は、前方向１１ａ或いは上方向１１ｄに開口するような形状でも良い。なお、実施形態１に示す方向が、作業者５０が手５１を挿入しやすい。
【００３７】
係止部２０の位置は、図４に示すように、係止部２０に挿入された作業者５０の手のひら５２が、基本的な大きさのペットＰに対しては、ペットＰの太腿部ＦＴから太腿部ＦＴの後側に回るような位置に設けられている方が、太腿部ＦＴに確実に本体部１１を接触させて水分を拭き取れると共に、後脚ＬＫを保持することでペットＰを安心させることができるので、好ましい。但し、ペットＰの大きさによっては、必ずしも上述した位置にならない場合がある。この場合には、係止部２０に挿入された作業者５０の手のひら５２や指先５３を移動させることで対応するようにすると効果的である。
【００３８】
係止部２０の露出部２２よりも外方向１１ｆの位置であって、本体部１１の外面１２に、係止部２０の露出部２２から露出する作業者５０の手先５３（或いは指先５３）で作業可能な一定面積の先端作業部１６が、本体部１１の端部との間に設けられている。先端作業部１６は、係止部２０の露出部２２から、実施形態１では数本の指先５３が第１関節から飛び出た状態（あるいは一部の指は第１関節よりも長く飛び出た状態）にあるときに該指先５３が当たる部分であり、指先５３に接触する先端作業部１６を自由に動かすことができる。又、指先５３を作業者５０が目視できるので、ペットＰの状態や動きに合わせて指先５３を素早く動かすことができる。
【００３９】
本体部１１の前方側１１ａには、その内面１３にペットＰとペットＰに被せる本体部１１との相対位置が設定される設定部３０が設けられている。実施形態１では、この設定部３０が、ペットＰの前脚ＦＫ，ＦＫを挿入する前脚挿入部３０を兼ねている。
【００４０】
設定部３０を設ける狙いは、係止部２０に作業者５０が手５１を挿入してペットＰに付着した水分を拭き取るときに、ペット用タオル１０が後方にずれる方向に力が作用する場合や、ペットＰを抱えて膝上において拭き取るときに、ペット用タオル１０がペットＰからはずれて落ちたり、係止部２０がペットＰに接触しない位置になったりする可能性があるので、そのような状態を防ぐためである。そのため、設定部３０となるのは、前脚挿入部３０に限られない。例えば、設定部３０は、前脚ＦＫに対する前後方向の大幅なズレを防止する構造や、前脚ＦＫより前側の位置、例えば、首部Ｎ、頭部Ｈ、胸部等との大雑把な相対位置を設定するものでも良い。なお、係止部２０が前脚ＦＫに当接する位置で、脚挿入部３０に後脚ＬＫが挿入されるペット用タオルに適用する場合には、設定部３０は後脚ＬＫかその後方に設けることが好ましい。
【００４１】
前脚挿入部３０を構成するカバー材３０ａは、本体部１１と同じ素材からなる矩形状のもので、上方側と下方側にそれぞれ、第１開口部３１及び第２開口部３２が開口されている。第１開口部３１及び第２開口部３２を残して、前方側と後方側が本体部１１に縫製されている。なお、カバー材３０ａの取り付け手段は縫製に限られるものでは無く、固定できれば良いもので有り、例えば貼り合わせでも良い。カバー材３０ａはギャザー等により絞られていてゴムバンド３３が取り付けられており、このことで、前脚挿入部３０に挿入されたペットＰの前脚ＦＫが抜けにくくなっている。なお、図１では、図の簡素化のために、前脚挿入部３０は縫製された部分のみを点線で図示し、それ以外を省略した。同様に、図２では、係止部２０は縫製されている部分のみを点線で図示し、それ以外を省略した。図４〜図７も同様な図示とした。
【００４２】
前脚挿入部３０は、ペットＰの前脚ＦＫに対して、上下方向の中間位置になるように設けられている。このことによって、ペットＰの前脚ＦＫの長さ（即ち高さ）の異なるペットＰに対して、対応できるようになっている。
【００４３】
なお、前脚挿入部３０は、ペットＰの前脚ＦＫが挿入されて、ある程度の位置が定まれば良いもので有り、開口する方向は略上下方向であれば良く、係止部２０のように斜めに設けられるものも含み、大きさも図示したものよりも大きくしても良い。
【００４４】
前脚ＦＫを挿入されることを嫌うペットＰや、いろいろな大きさのペットＰに対応することを考慮すると、この前脚挿入部３０を省いたペット用タオル１０とすることも可能である。或いは、どのようにでも対応できるように、前脚挿入部３０を、ホックボタン、紐等で取り外し可能に設けることも可能である。
【００４５】
本体部１１の前端部１４には、ペットＰの頭部Ｈに被さるフード部４０が設けられている。フード部４０は縫製されて本体部１１の前端部１４に一体に取り付けられている。フード部４０は、大きさの異なるペットＰに対応できるように、大きめに作られている。なお、このフード部４０は、縫製でなくて、ホックボタンや紐等で取り外し可能に取り付けるようにしても良い。
【００４６】
フード部４０を取り外し可能として、例えば、その取り外したフード部４０の中に手５１を挿入して、ペットＰの首部Ｎ、胴周り等をこのフード部４０で拭くように使用することも可能である。また、取り外したフード部４０を本体部１１の後端部１５にも取り付け可能にすることで、前方側１１ａと後方側１１ｂとを逆にして、係止部２０が前脚ＦＫ側になるようにして使用することも可能である。この場合には、係止部２０に挿入した作業者５０の手５１で、前脚ＦＫだけでなく、ペットＰの首部Ｎ周りに挿入して水分を拭き取るようにでき、他の部分の水分を吸収するように作業することができる。
【００４７】
フード部４０の先端には、ゴムバンドや紐を設けて、頭部Ｈにフィットするようにしても良い。または、フード部４０の中間部分、即ちペットＰに被せた際に左右方向の中央部分で左右に分離可能として、その分離部分に複数個のボタン等を前後方向に並べて設けて連結するようにしても良い。そして、ペットＰに応じて、例えば後方側ボタンを掛けて、前方側ボタンを掛けないようにして、ペットＰの目が塞がらないようにする構造としても良い。
【００４８】
フード部４０と本体部１１の前端部１４との縫製部分の左右両端部には、互いに連結可能な樹脂製のホックボタン１７，１７が設けられており、使用時に、ホックボタン１７を掛けて本体部１１の前端部１４をループ状に閉じるようにしてもよい。このことによって、ペットＰの前脚ＦＫの前方向が閉じられるので、ペットＰに被せるフード部４０が安定する。それとともに、本体部１１の前後方向の位置が大まかに設定されるので、このホックボタン１７に設定部３０の機能を持たせることもできる。フード部４０をペットＰの頭部Ｈに被せることで、フード部４０に設定部３０の機能を持たせることもできる。但し、フード部４０を被せることを嫌うペットもあり、フード部４０とは別に設定部３０を設けた方が好ましい。また、ホックボタン１７，１７の代わりに別の手段、例えば、紐で結ぶようにしても良い。
【００４９】
また、図１、図２、図４に二点鎖線で示すように、ａ、ｂ、ｃ、ｄ、ｅの位置の少なくとも一カ所にホックボタンを設けても良い。例えば、ホックボタンａ、ｂとの間に前脚ＦＫを入れて、設定部３０としても良い。また、設定部３０として、ホックボタン１７とａ、ｂ、ｃ、ｄのいずれか１つでも良い。また、ホックボタンｄは、ペットＰの腹部分にフィットするように使用してもよい。また、ペットＰの頭部Ｈが小さくて、もっとフィットするようにしたい場合には、ホックボタン１７を外して、ホックボタンｅを止めるようにしても良い。ホックボタン１７、ａ、ｂ、ｃ、ｄ、ｅの組み合わせで、設定部３０としたり、より確実にペットＰを保持するようにしても良い。なお、ホックボタンａ、ｂ、ｃ、ｄ、ｅは全て設ける必要はなく、必要に応じて、１つ設けても複数設けても良く、実施形態１のようにホックボタンａ、ｂ、ｃ、ｄ、ｅを設けなくても良い。
【００５０】
また、ペットＰによっては、図４のようにペットＰが起立した状態での使用ではなく、ペット用タオル１０で包み込んで、作業者５０の膝に抱えた状態で拭き取る使用状態になることもある。このような使用状態も考慮すると、ペットＰを抱えたときに、ペット用タオル１０の位置がずれて、ペットＰの濡れた皮膚（或いは毛）が作業者５０に接触することを防止するようにすることが好ましい。そのためには、前脚挿入部３０に前脚ＦＫを挿入するようにすることが好ましい。しかし、前脚挿入部３０に前脚ＦＫが挿入されることを嫌がるペットＰの場合には、前脚挿入部３０によらずにペットＰを保持するようにすることが好ましく、この場合には、ホックボタン１７とａ、ｂ、ｃ、ｄ、ｅのいずれか１つを設けることが好ましい。なお、ホックボタンａ、ｂ、ｃ、ｄ、ｅはホックボタンに限られるものではなく、別の止め手段、例えば紐等でも良い。
【００５１】
本発明では、係止部２０及び設定部３０でしっかりとペットＰを抱えて保持するようにすれば、このようなズレを防止でき、作業者５０が濡れることを防止できる。
【００５２】
次に、図４に基づいて、実施形態１の使用状態の１例を説明する。まず、洗浄して体表面に水分が残っているペットＰを起立状態にし、そのペットＰに対して、ペット用タオル１０の本体部１１を内面１３がペットＰに接触する側になるようにしてペットＰの背部Ｂから、本体部１１を両側部Ｓ，Ｓを経て前脚ＦＫ、後脚ＬＫの外側に跨って被せて垂下させる。この時に、両方の前脚ＦＫを前脚挿入部（設定部）３０に挿入して、ペットＰと本体部１１との相対位置がラフに設定される。可能であれば、ペットＰの頭部Ｈにフード部４０を被せて、ホックボタン１７を留める。即ち、ペット用タオル１０をあたかもマントの如くペットＰに着用した状態とする。
【００５３】
そして、係止部２０，２０に両手５１，５１を挿入し、ペットＰの不安やストレスを取り除くことができるように、係止部２０，２０に挿入した両手５１，５１で、ペットＰをしっかりと保持する。それとともに、係止部２０をペットＰの太腿部ＦＴの外側に押し当てて、乾き難い太腿部ＦＴの水分を素早く拭き取る。必要であれば、手５１を動かして、例えば太腿部ＦＴの内側、胴体部、臀部等にも動かして水分を拭き取るようにすると効果的に乾かすことができる。また、左右の係止部２０，２０に作業者５０の左右の手５１，５１を挿入して、露出部２２から指先５３が先端作業部１６に露出した状態で、ペットＰをしっかり保持することで、ペットＰの不安やストレスを取り除くようにしても良い。また、必要であれば、露出した指先５３を曲げて、ペットＰをさらにしっかり保持するようにしても良い。或いは、露出した指先５３で先端作業部１６をペットＰに当ててペットＰの後脚ＬＫ周り等を拭くようにしても良い。このとき、後脚ＬＫはペット用タオル１０に固定されてないので、係止部２０に挿入した両手５１をかなり自由に動かせて、乾き難い太腿部ＦＴ、胴体部、臀部等の水分を素早く拭き取るように動かすことができる。実際には、ペットＰの水分を吸収するだけでなく、早く乾かすためには、軽くペット用タオル１０で擦って水分を拭き取るようにしてもよいが、皮膚の弱いペット、老犬、老猫等、擦ることを嫌う、或いは擦ることが出来ないペットＰに対しては、ペット用タオル１０をペットＰの体に接触させて、出来るだけ擦らずに接触させるだけで、短時間でペットＰの体の水分を吸い取れることが好ましい。本実施形態１では、ペット用タオル１０との位置関係が前脚ＦＫのみ決まっており、後脚ＬＫは決まっていないため、両手５１を挿入した係止部２０をいろいろな方向に動かすことができ、手先５３を更に自由に動かせるので、ペットＰをしっかり保持して安心させることができると共に、素早く吸水してペットＰを急速に乾かすことができる。
【００５４】
また、素材としても吸水性に優れ且つ速乾性に優れたものが好ましく、且つ肌に優しいものが好ましい。そのためのペット用タオル１０の素材としては、前述したように、天然繊維である綿を主成分とするフィラメントからなる紡績糸と水溶性糸とを逆方向に撚って複合撚糸を形成して、この複合撚糸を用いて製編織して製造した織編物から複合撚糸中の水溶性糸が除去された織編物からなるタオルを使用することが好ましい。特に、複合撚糸がループパイルからなる方が肌触りが良いので、好ましい。
【００５５】
以上のように、実施形態１では、前脚ＦＫを前脚挿入部３０に挿入した状態で、係止部２０，２０に作業者５０の両手５１，５１を挿入し、その両手５１，５１でしっかり保持するので、ペットの不安やストレスを取り除くことができる。それとともに、両手５１，５１を自由に動かすことで、ペット用タオル１０に接触しにくい部分にも、手先（指先）５３で本体部１１をペットＰの体に当てるようにすることができ、素早く乾かすことができる。
【００５６】
また、ペットＰによっては、図４のように起立した状態ではなく、ペット用タオル１０で包み込んで、作業者５０の膝に抱えた状態で拭き取ることもある。このような使用状態では、ペットＰを抱えたときに、ペット用タオル１０の位置がずれて、ペットＰの濡れた皮膚（或いは毛）が作業者５０に接触する可能性があるので、係止部２０及び露出部２２でしっかりとペットＰを抱えて保持するようにすれば、このようなズレを防止でき、作業者５０が濡れることを防止できる。さらには、設定部３０で、ペットＰを保持するようにすれば、さらに確実にペットＰをしっかりと抱きかかえることが出来るので、ペットＰを安心させることができ、暴れることを抑制できる。
【００５７】
（実施形態２）
実施形態２について、図５及び図６に基づいて説明する。なお、実施形態２においては実施形態１と同様な部分の説明を省略し、異なる部分について説明する。
【００５８】
実施形態２が実施形態１と異なるのは、前脚挿入部３０の構成である。即ち、図５及び図６に示すように、前脚挿入部３０１が、係止部２０と同じ形状に形成され、係止部２０と対称な位置で、斜め下方側で且つ前方側に向いて、本体部１１の内面１３に設けられている。即ち、前脚挿入部３０１は、ペットＰの前脚ＦＫを挿入するだけの機能でなく、作業者５０の手５１を挿入可能な第１筒状体として設けられている。それと共に、係止部２０は、作業者５０の手５１を挿入できる機能だけでなく、ペットＰの後脚ＬＫを挿入できる第２筒状体として設けられている。なお、実施形態１の係止部２０のままでは、後脚ＬＫを挿入し難い場合には、手５１を挿入する機能をそのまま残した形状で、後脚ＬＫを挿入できるように形状を少し変えても良い。同様に、前脚挿入部３０１も、前脚ＦＫを挿入できると共に手５１を挿入できる形状であれば、形状を変えても良い。
【００５９】
この実施形態２では、使用時には、図６に示すように内面１３を下側（ペットＰ側）にした状態でペットＰに被せることで、図４に示す実施形態１と同様に、前脚挿入部３０１に前脚ＦＫが挿入される。前脚挿入部３０１は、係止部２０と同じ大きさであるので、実施形態１の前脚挿入部３０よりも大きくなる。そのために、前脚挿入部３０１に挿入された前脚ＦＫは、ペット用タオル１０に対して大まかな位置になるが、大体の位置関係が決まれば良いため問題はない。なお、フード部４０は、ペットＰの頭部Ｈに被せるようにする。この状態で、係止部２０に両手５１を挿入して、実施形態１と同様に使用する。
【００６０】
また、前脚ＦＫ側で、作業者５０の両手５１，５１を自由に動かして使用したい場合には、本体部１１の内面１３と外面１２とを裏返せば良い。即ち、本体部１１を裏返すことにより、図５に示すように、内面１３に位置した前脚挿入部３０１（第１筒状体）が外面１２に位置し、外面１２に位置した係止部２０（第２筒状体）が内面１３に位置するようになる。この状態（図５に示す状態）で、ペットＰに本体部１１を被せて、第２筒状体２０に後脚ＬＫを挿入する。そして、第１筒状体３０１に作業者５０の手５１を挿入して、使用する。この場合には、図５に示す状態のフード部４０を裏返してペットＰの頭部Ｈに被せるようにすれば良い。なお、この場合には、第１筒状体３０１に挿入した手５１が自由に動かせるので、フード部４０を被せないで、上記の手５１で頭部Ｈの水分を拭き取るようにすることも可能である。
【００６１】
以上のように、実施形態２では、前脚挿入部３０１と係止部２０とが同じ形状であり、それぞれ、一方が内面１３に、他方が外面１２に設けられているので、本体部１１の内面１３と外面１２とを裏返して使用することができる。なお、フード部４０も裏返すことで、ペットＰの頭部Ｈに被せることができる。
【００６２】
実施形態２では、このように、ペット用タオル１０をリバーシブルに使用できるので、使用途中に裏返して使用する、或いは、ペットによってどちらかに使い分ける等の利用価値が大幅に向上する。
【００６３】
（実施形態３）
実施形態３について、図７に基づいて説明する。なお、実施形態３においては、実施形態１と同様な部分の説明を省略し、異なる部分について説明する。
【００６４】
実施形態３が実施形態１と異なるのは、係止部２０の構成である。即ち、係止部２０１が、係止部２０のような手のひら５２が収まる形状や大きさでなく、手首５４を留める簡単なバンド的な形状になっている。即ち、実施形態１や２では、挿入部２０は手袋のようなカバー部材２０ａとして、手５１の指先５３が露出するようにしたが、実施形態３では、係止部２０１は手首５４を係止して、手首５４から先を自由に動かせるようにしたものである。作業者５０が手先５３を自由に動かすことを優先する場合には、好都合である。
【００６５】
実施形態３では、手首５４から先を自由に動かして使えるので、実施形態１や２に比較して、作業者５０がペットＰを抱えたり、拭き取ったりする時の作業の自由度が大幅に向上する。
【００６６】
なお、係止部２０１にゴムバンド２３を設けるようにすると好ましく、このことで、手のひら５２を挿入しても作業中に不意に抜けることが防止できる。
【００６７】
実施形態３では、詳細な説明は省略するが、実施形態２のように、裏返してリバーシブルに使えるような形状にしても良い。
【００６８】
なお、いずれの実施形態についても言えることではあるが、ペット用タオル１０をペットＰに被せた際に、このペット用タオル１０をできるだけ擦りつけないで、水分を素早く吸い取ることが好ましい。特に、本発明では、作業者５０の手５１を挿入する手先５３が係止部２０から露出しているので、本体部１１を素早くペットＰの体に接触させることができ、指先５３を自由に動かせるので、特に乾きにくい後脚ＬＫの大腿部ＦＴの水分を素早く吸い取ることができる。従って、老犬、病気のペット、皮膚の弱いペット等の、皮膚（毛）を擦らない方が好ましいペットＰに対して、効果的なペット用タオルとなる。また、ペットＰの体の水分を素早く吸い取ることができれば、ドライヤーを使う状況を少なくでき、場合によってはドライヤーを使わずに済むようにでき、温風や温熱によるペットに対する負担が少なくて済むこととなり、ペットに対してやさしいタオルとなる。
【００６９】
ペットＰとしては、例えば犬、猫、ウサギ等が考えられるが、本発明のペット用タオル１０は４つの脚部を有するその他のペットに使用しても差し支えない。
【００７０】
上記実施形態では、係止部２０，２０１及び前脚挿入部３０，３０１の反対の面には、何も設けてないが、面対称に同じものを設けても良い。しかし、係止部２０，２０１及び前脚挿入部３０，３０１の反対の面には何も設けてない方が、分厚くならないとともに、本体部１１の内面１３がペットＰの体に当接した際にごわごわ感等の異物感がないので、好ましい。
【００７１】
上記実施形態では、ペット用タオル１０は略矩形状であったが、この形状に限られるものではなく、例えば前端部１４や後端部１５を円弧状にした楕円形状にしても良い。
【００７２】
前脚挿入部３０は、ペットＰの前脚ＦＫに対して、上下方向に見て、第１開口部３１が前脚ＦＫの付け根あたりに位置するように設けると、前脚ＦＫの付け根部分の水分を吸い取れるので、更に効果が向上する。上記実施形態１では、前脚挿入部３０は筒状で上下が開口していたが、場合によっては、袋状にして下側を閉じた形状にしてもよい。なお、この場合には、ペットＰの前脚ＦＫの長さを考慮して、出来るだけ、脚の先端部分（即ち本体部１１の下方側１１ｃ及び上方側１１ｄ）に接近して設けるようにすることが好ましい。
【産業上の利用可能性】
【００７３】
本発明は、ペットを洗浄した後、ペットに付着している水を拭き取るためのペット用タオルに適用可能なものである。
【符号の説明】
【００７４】
Ｐ          ペット
ＦＫ，ＬＫ    前後の脚部
Ｎ            首部
Ｈ            頭部
１０          ペット用タオル
１１          本体部
１１ａ        前方側
１１ｂ        後方側
１１ｃ        下方側
１１ｄ        上方側
１１ｅ        内方向
１１ｆ        外方向
１２          外面
１３          内面
１６          先端作業部
２０          係止部（第２筒状体）
２１          挿入開口部
２２          露出部
３０        設定部（前脚挿入部）第１筒状体
４０        フード部
５０        作業者
５１        左右の手
５２        手のひら
５３        手先（指先）
【図１】
2015144569.tif 000003
【図２】
2015144569.tif 000004
【図３】
2015144569.tif 000005
【図４】
2015144569.tif 000006
【図５】
2015144569.tif 000007
【図６】
2015144569.tif 000008
【図７】
2015144569.tif 000009